(57)【要約】      （修正有）【課題】ポールペンなどの筆記用具およびペン型用具を、ポケットに差して携帯する場合、ポケットからの落下を防止するための装置の付いたペンキヤップを提供する。【解決手段】Ａ．クリップ３に凸型突起４を設ける。Ｂ．ペンキャツプ１のクリップの突起が接する部分に窪み２を設ける。【選択図】図１
2018094901.tif 000002
【特許請求の範囲】
【請求項１】
本体またはキヤップに、先端に突起部を備えたクリップと、前記本体またはキャップに前記突起部が嵌合する窪みを備えた物品において、前記突起部は、前記クリップの取り付け部に向けて突出した第一の突出部を備えた鉤形状であることを特徴とするクリップを備えた物品。
【請求項２】
前記窪みは、開口部における前記クリップの取り付け部側に、前記クリップの取り付け部の反対側に向けて突出した第二の突出部を備え、前記クリップの先端を前記窪みに押し込むことで、前記第一の突出部と前記第二の突出部が係合することを特徴とする、請求項１に記載のクリップを備えた物品。
【請求項３】
前記第一の突出部は、金属・セラミックのほぼ球形状の部材を、前記クリップの突出部にインサート成形するか、強化プラスチックで成形することで形成されることを特徴とする、請求項１または請求項２に記載のクリップを備えた物品。
【請求項４】
前記第二の突出部は、金属の環状部材を、前記窪みの開口部における前記クリップの取り付け部側の端の、前記窪みの一部を覆う位置に取り付けることにより形成されることを特徴とする、請求項２または請求項３に記載のクリップを備えた物品。
【発明の詳細な説明】
【技術分野】
【０００１】  本発明は、ポールベン、万年筆、シャープペンなど筆記用具をはじめ、ペンホルダー式印鑑、ＩＣ録音機などを、クリップを用いてシャツのポケットなどに差して携帯する際の、クリップの保持力を増すための構造を付加した、クリップを備えた物品に関するものである。
【背景技術】
【０００２】  ポールペン、万年筆、シャープペンなどの筆記用具をはじめ、ペンホルダー式の用具には、従来滑り落ち防止のための部材としてのクリップがついており、その先端部分にはクリップと同じ材質の突起が付いていた。【０００３】  しかしながら、従来のクリップには次のような課題があった。
（１）ワイシャツ、各種制服などは、特に滑り止めの対策を施された生地で造られているわけではないので、これらの衣服の胸ポケットに、ペンなどの筆記用具を差して携帯した場合、下を向いて作業をしたり、床の物を拾おうとしたりした時に、そのペンがポケットより滑り落ちることがある。
（２）落下しないようにするためには、片手でそのベンを押さえなければならず、大変不便であつた。【０００４】  このような課題に対処する方策の一つとして、例えば特許文献１には、ペンキャップにおけるクリップ先端の突起部と接する部分に、ゴム製の帯状リングを取り付ける技術が開示されている。しかし、これではクリップが設けられた本体の重量が大きい場合などには、必ずしも十分に対応できない。
【先行技術文献】
【特許文献】
【０００５】
【特許文献１】特開２００５−０５３２０２号公報
【発明が解決しようとする課題】
【０００６】  本発明の課題は、前記の問題点に鑑み、胸ポケットなどから滑り落ちることが少ない、クリップを備えた物品を提供することである。
【課題を解決するための手段】
【０００７】  本発明は前記課題を解決するために、従来のクリップとそれを備えた物品の構造を再検討した結果なされたものである。
【０００８】  即ち、ペン本体またはペンキヤップは、ペン本体またはぺんキャップ向けて突出した第一突起部を有する鉤形状のクリップをそなえている、そのペン本体またはぺんキャップのクリップの第一突出部が嵌合する窪みを備えるのを特徴とする物品である。
【０００９】  また、本発明は、前記窪みが、開口部における前記クリップの取り付け部側に、前記クリップの取り付け部の反対側に向けて突出した第二の突出部を設け、前記クリップの先端を前記窪みに押し込むことで、前記第一の突出部と前記第二の突出部が係合することを特徴とする、前記のクリップを備えた物品である。
【００１０】  また、本発明は、前記第一の突出部が、金属・セラミックのほぼ球形状の部材を、前記クリップの突出部にインサート成型するか、強化プラスチックで成型することで形成されることを特徴とする、前記のクリップを備えた物品である。
【００１１】  また、本発明は、前記第二の突出部が、金属の環状部材を、前記窪みの開口部における前記クリップの取り付け部側の端の、前記窪みの一部を覆う位置に取り付けることにより形成されることを特徴とする、前記のクリップを備えた物品である。
【発明の効果】
【００１２】  本発明に係る物品においては、ポケットの生地を挟んだ状態で、前記の第一の突出部と第二の突出部が係合するので、ポケットから、ペンなどの物品が滑り落ちることが極めて少なくなる。
【図面の簡単な説明】
【００１３】
【図１】  本発明に係るペンキャップの一例を示す斜視図
【図２】  本発明に係るペンキャップの一例を示す断面図
【図３】  窪み２にクリップの先端４が係合した状態の一例を示す図
【図４】  ポケットなどの布地がクリップ先端と窪みの間に挟まった状態を示す図
【図５】  本発明に係るペンキャップの別例を示す図
【図６】  窪みの詳細を示す断面
【図７】  突起部球体が本体の窪みの縁の環状部材に当接した状態を示す断面図
【図８】  金属の環状部材と金属の球体が係合し、ポケットなどの布地が挟まった状態を示す図
【図９】  第一の突出部として、金属の線材の先端に金属の球体を取り付けた部材をクリップの先端４にインサート成形した一例を示す側面図
【図１０】  第一の突出部として、金属の線材の先端に金属の球体を取り付けた部材をクリップの先端４にインサート成形した一例を示す断面図
【図１１】  金属の線材の先端に金属の球体を取り付けた部材の一例の斜視図
【図１２】  金属の線材の先端に金属の球体を取り付けた部材の一例の断面図
【図１３】  第二の突出部として用いる金属の環状部材の一例を示す斜視図
【図１４】  第二の突出部として用いる金属の環状部材の一例を示す断面図
【発明を実施するための形態】
【００１３】  次に、ペンキャップを具体的として、図に基づいて、本発明の実施の形態について説明する。
【００１４】  図１は、本発明に係るペンキャップの一例を示す斜視図、図２は、その断面を示す図である。図１において、１はペンキャップ、２は窪み、３はクリップ、４は第一の突出部を備えたクリップ先端である。
【００１５】  また、図３は、窪み２にクリップの先端４が係合した状態の一例を示す図で、図４は、ポケットなどの布地５が、クリップ先端４と窪み２の間に挟まった状態で、窪み２にクリップ先端が係合した状態を示す図である。図４に示した状態となっていると、ペンがポケットからペンが抜け落ち難くなる。
【００１５】  図５は、本発明に係るペンキャップの別例を示す図で、第一の突出部として金属の球体７を取り付け、第二の突出部として金属の環状部材６を取り付けた状態の一例を示す図である。図６は、図５に示した窪みの詳細を示す断面図、図７は、金属の環状部材６と金属の球体７が当接した状態、図８は金属の環状部材６と金属の球体７が係合し、ポケットなどの布地５が挟まった状態を示す図である。
【００１６】  クリップ３は、取り付け部と先端の間に湾曲した部分があるので、取り付け部と先端の間の中心付近を押し、クリップの先端４を窪み２に押し込む、すると湾曲した部分の弾性変形により、クリップ３の長さが伸び、金属の球体７が、金属の環状部材６の下部に回り込み係合状態となる。係合状態になると、クリップを伸ばす方向の力が加わらない限り、係合状態が解消されることがないので、図４に示したように、金属の球体７と金属の環状部材の間にポケットの布地が挟まった状態では、ペンキャップが極めて抜け落ち難くなる。
【００１７】  図９は、第一の突出部として、金属の線材の先端に金属の球体を取り付けた部材をクリップの先端４にインサート成形した一例を示す側面図、図１０はそのＢＢ断面図である。また、図１１は金属の線材の先端に金属の球体を取り付けた部材の一例の斜視図、図１２は、そのＣＣ断面図である。
【００１８】  図１３は、第二の突出部として用いる金属の環状部材の一例を示す斜視図、図１４は、そのＤＤ断面図である。
【００１９】  以上に説明したように本発明によれば、ポケットから極めて抜け落ち難いクリップを備えた物品を提供できる。なお、ここではペンキャップを例として取り上げたが、本発明は、ペン軸本体、ペンホルダー式印鑑、ＩＣ録音機などに応用できる。なお、本発明は、前記実施の形態に限定されるものではなく、本発明の分野における通常の知識を有する者であれば想到し得る、各種変形、修正を含む、本発明の要旨を逸脱しない範囲の設計変更があっても、本発明に含まれることは勿論である。
【符号の説明】
【００２０】１・・・ペンキャップ、      ２・・・窪み      ３・・・クリップ
４・・・第一の突出部を備えたクリップ先端      ５・・・布地
６・・・金属の環状部材      ７・・・金属の球体
【図１】
2018094901.tif 000003
【図２】
2018094901.tif 000004
【図３】
2018094901.tif 000005
【図４】
2018094901.tif 000006
【図５】
2018094901.tif 000007
【図６】
2018094901.tif 000008
【図７】
2018094901.tif 000009
【図８】
2018094901.tif 000010
【図９】
2018094901.tif 000011
【図１０】
2018094901.tif 000012
【図１１】
2018094901.tif 000013
【図１２】
2018094901.tif 000014
【図１３】
2018094901.tif 000015
【図１４】
2018094901.tif 000016
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
本体またはキヤップに取り付けられ、先端に前記本体またはキャップの方に向けて設けられた突起部を備えたクリップと、前記本体またはキャップに前記突起部が嵌合する窪みを備えた物品において、前記突起部は、前記クリップの取り付け部に向けて突出した第一の突出部を備えた鉤形状であり、前記窪みは、開口部における前記クリップの取り付け部側に、前記クリップの取り付け部の反対側に向けて突出した第二の突出部を備え、前記ク、リップの先端を前記窪みに押し込むことで、前記第一の突出部と前記第二の突出部が係合することを特徴とする、クリップを備えた物品。
【請求項２】
前記第一の突出部は、金属の球体または金属の線材の先端に金属の球体を設けた部材を、前記クリップの突起部にインサート成形することで形成されることを特徴とする、請求項１に記載のクリップを備えた物品。
【請求項３】
前記第二の突出部は、金属の環状部材を、前記窪みの開口部における前記クリップの取り付け部側の端の、前記窪みの一部を覆う位置に取り付けることにより形成されることを特徴とする、請求項１または請求項２に記載のクリップを備えた物品。
【手続補正書】
【提出日】平成29年7月14日(2017.7.14)
【手続補正１】
【補正対象書類名】特許請求の範囲
【補正対象項目名】請求項１
【補正方法】変更
【補正の内容】
【請求項１】
本体またはキヤップに取り付けられ、先端に前記本体またはキャップの方に向けて設けられた突起部を備えたクリップと、前記本体またはキャップに前記突起部が嵌合する窪みを備えた物品において、前記突起部は、前記クリップの取り付け部に向けて突出した第一の突出部を備えた鉤形状であり、前記窪みは、開口部における前記クリップの取り付け部側に、前記クリップの取り付け部の反対側に向けて突出した第二の突出部を備え、前記クリップの先端を前記窪みに押し込むことで、前記第一の突出部と前記第二の突出部が係合することを特徴とする、クリップを備えた物品。